【手続補正書】
【提出日】平成18年7月5日(2006.7.5)
【手続補正１】
【補正対象書類名】明細書
【補正対象項目名】特許請求の範囲
【補正方法】変更
【補正の内容】
【特許請求の範囲】
【請求項１】  Ａ）  １）共重合した臭素化オレフィン、塩素化オレフィンおよびヨウ素化オレフィン；２）共重合した臭素化不飽和エーテル、塩素化不飽和エーテル、およびヨウ素化不飽和エーテル；３）共重合した非共役ジエンおよびトリエン；および４）フルオロエラストマー鎖の末端位置に存在するヨウ素原子、臭素原子、およびその混合物；からなる群から選択される、少なくとも１つのキュアサイトを有するフルオロエラストマーを７０から９９重量％と、
Ｂ）  多官能性アクリル架橋剤、多官能性メタクリル架橋剤、多官能性シアヌレート架橋剤、および多官能性イソシアヌレート架橋剤からなる群から選択される多官能性架橋剤を０．５から２０重量％と、
Ｃ）  紫外線重合開始剤を０．１から１０重量％とを含み、
前記成分Ａ）、Ｂ）、およびＣ）のそれぞれの前記重量％が該成分Ａ）、Ｂ）、およびＣ）の合計重量に基づくことを特徴とするムーニー粘度ＭＬ１＋４（１００℃）が１〜１５０である熱的に安定な硬化性エラストマー組成物。
【請求項２】  前記フルオロエラストマーがフッ素化ビニリデンの共重合した単位を含むコポリマーであることを特徴とする請求項１に記載の組成物。
【請求項３】  前記フルオロエラストマーがテトラフルオロエチレンの共重合した単位を含むコポリマーであることを特徴とする請求項１に記載の組成物。
【請求項４】  前記キュアサイトが共重合した臭素化オレフィン、塩素化オレフィンおよびヨウ素化オレフィンからなる群から選択されることを特徴とする請求項１に記載の組成物。
【請求項５】  前記キュアサイトが共重合した臭素化不飽和エーテル、塩素化不飽和エーテル、およびヨウ素化不飽和エーテルからなる群から選択されることを特徴とする請求項１に記載の組成物。
【請求項６】  前記キュアサイトが共重合した非共役ジエンからなる群から選択されることを特徴とする請求項１に記載の組成物。
【請求項７】  前記キュアサイトが前記フルオロエラストマー鎖の末端位置に存在するヨウ素原子、臭素原子、およびその混合物からなる群から選択されることを特徴とする請求項１に記載の組成物。
【請求項８】  前記キュアサイトが共重合した臭素化オレフィンであることを特徴とする請求項４に記載の組成物。
【請求項９】  前記キュアサイトが４−ブロモ−３，３，４，４−テトラフルオロブテン−１であることを特徴とする請求項８に記載の組成物。
【請求項１０】  前記キュアサイトが共重合したヨウ素化オレフィンであることを特徴とする請求項１に記載の組成物。
【請求項１１】  前記共重合したヨウ素化オレフィンが４−ヨード−３，３，４，４−テトラフルオロブテン−１であることを特徴とする請求項１０に記載の組成物。
【請求項１２】  前記キュアサイトがフルオロエラストマー鎖の末端位置に存在するヨウ素原子であることを特徴とする請求項１に記載の組成物。
【請求項１３】  前記キュアサイトがフルオロエラストマー鎖の末端位置に存在するヨウ素原子と臭素原子の混合であることを特徴とする請求項１に記載の組成物。
【請求項１４】  前記キュアサイトが共重合したヨウ素化オレフィンおよびフルオロエラストマー鎖の末端位置に存在するヨウ素原子であることを特徴とする請求項１に記載の組成物。
【請求項１５】  前記キュアサイトが共重合したヨウ素化不飽和エーテルおよびフルオロエラストマー鎖の末端位置に存在するヨウ素原子であることを特徴とする請求項１に記載の組成物。
【請求項１６】  Ａ）  エピクロロヒドリンエラストマー８０から９７重量％と、
Ｂ）  多官能性アクリル架橋剤、多官能性メタクリル架橋剤、多官能性シアヌレート架橋剤、および多官能性イソシアヌレート架橋剤からなる群から選択される多官能性架橋剤２から１９．５重量％と、そして
Ｃ）  紫外線重合開始剤０．２から５．０重量％とから本質的になり、
前記成分Ａ）、Ｂ）、およびＣ）のそれぞれの前記重量％は該成分Ａ）、Ｂ）、およびＣ）の合計重量に基づくことを特徴とするムーニー粘度ＭＬ１＋４（１００℃）が１〜１５０である熱的に安定な硬化性エラストマー組成物。
【請求項１７】  前記紫外線重合開始剤がケトンであることを特徴とする請求項１に記載の組成物。
【請求項１８】  追加的に発泡剤を含むことを特徴とする請求項１に記載の組成物。
【請求項１９】  物品にシールを付ける方法であって、
Ａ）  ２５℃と２５０℃の間の温度で、
１）フルオロエラストマーであって、１）共重合した臭素化オレフィン、塩素化オレフィンおよびヨウ素化オレフィン、２）共重合した臭素化不飽和エーテル、塩素化不飽和エーテルおよびヨウ素化不飽和エーテル、３）共重合した非共役ジエンおよびトリエン、および、４）前記フルオロエラストマー鎖の末端位置に存在するヨウ素原子、臭素原子およびその混合物からなる群から選択された少なくとも１つのキュアサイトを有するフルオロエラストマー７０から９９重量％と、
２）多官能性アクリル架橋剤、多官能性メタクリル架橋剤、多官能性シアヌレート架橋剤、および多官能性イソシアヌレート架橋剤からなる群から選択される多官能性架橋剤０．５から２０重量％と、そして
３）紫外線重合開始剤０．１から１０重量％とを配合して（前記成分１）、２）および３）のそれぞれの前記重量％は該成分１）、２）および３）の合計重量に基づく）、ムーニー粘度ＭＬ１＋４（１００℃）が１〜１５０である熱的に安定な硬化性の押し出し可能な混合物を形成するステップと、
Ｂ）  前記押し出し可能な混合物を未硬化シールを形成するために望ましい形状および厚さで前記物品上に堆積させるステップと、
Ｃ）  前記未硬化シールを硬化させるのに充分な時間だけ該未硬化シールに紫外線を照射するステップと、
を含むことを特徴とする方法。
【請求項２０】  前記フルオロエラストマーがフッ素化ビニリデンの共重合した単位を含むコポリマーであることを特徴とする請求項１９に記載の方法。
【請求項２１】  前記フルオロエラストマーがテトラフルオロエチレンの共重合した単位を含むコポリマーであることを特徴とする請求項１９に記載の方法。
【請求項２２】  前記キュアサイトが、共重合した臭素化オレフィン、塩素化オレフィンおよびヨウ素化オレフィンからなる群から選択されることを特徴とする請求項１９に記載の方法。
【請求項２３】  前記キュアサイトが、共重合した臭素化不飽和エーテル、塩素化不飽和エーテルおよびヨウ素化不飽和エーテルからなる群から選択されることを特徴とする請求項１９に記載の方法。
【請求項２４】  前記キュアサイトが、共重合した非共役ジエンからなる群から選択されることを特徴とする請求項１９に記載の方法。
【請求項２５】  前記キュアサイトが、前記フルオロエラストマー鎖の末端位置に存在するヨウ素原子、臭素原子およびそれらの混合物からなる群から選択されることを特徴とする請求項１９に記載の方法。
【請求項２６】  前記キュアサイトが、共重合した臭素化オレフィンからなる群から選択されることを特徴とする請求項１９に記載の方法。
【請求項２７】  前記共重合した臭素化オレフィンが、４−ブロモ−３，３，４，４−テトラフルオロブテン−１であることを特徴とする請求項２６に記載の方法。
【請求項２８】  前記キュアサイトが、共重合したヨウ素化オレフィンからなる群から選択されることを特徴とする請求項１９に記載の方法。
【請求項２９】  前記共重合したヨウ素化オレフィンが４−ヨウド−３，３，４，４−テトラフルオロブテン−１であることを特徴とする請求項２８に記載の方法。
【請求項３０】  前記キュアサイトが、前記フルオロエラストマー鎖の末端位置に存在するヨウ素原子であることを特徴とする請求項１９に記載の方法。
【請求項３１】  前記キュアサイトが、前記フルオロエラストマー鎖の末端位置に存在するヨウ素原子と臭素原子の混合からなる群から選択されることを特徴とする請求項１９に記載の方法。
【請求項３２】  前記キュアサイトが共重合したヨウ素化オレフィンおよびフルオロエラストマー鎖の末端位置に存在するヨウ素原子の混合であることを特徴とする請求項１９に記載の方法。
【請求項３３】  前記キュアサイトが共重合したヨウ素化不飽和エーテルおよびフルオロエラストマー鎖の末端位置に存在するヨウ素原子の混合であることを特徴とする請求項１９に記載の方法。
【請求項３４】  物品にシールを付ける方法であって、
Ａ）  ２５℃と２５０℃の間の温度で、
１）エピクロロヒドリンエラストマー８０から９７重量％と、
２）多官能性アクリル架橋剤、多官能性メタクリル架橋剤、多官能性シアヌレート架橋剤、および多官能性イソシアヌレート架橋剤からなる群から選択される多官能性架橋剤２から１９．５重量％と、そして
３）紫外線重合開始剤０．２から５．０重量％とを配合して（前記成分１）、２）および３）のそれぞれの前記重量％は該成分１）、２）および３）の合計重量に基づく）、ムーニー粘度ＭＬ１＋４（１００℃）が１〜１５０である熱的に安定な硬化性の押し出し可能な混合物を形成するステップと、
Ｂ）  前記押し出し可能な混合物を未硬化シールを形成するために望ましい形状および厚さで前記物品上に堆積させるステップと、
Ｃ）  前記未硬化シールを硬化させるのに充分な時間だけ該未硬化シールに紫外線を照射するステップと、
を含むことを特徴とする方法。
【請求項３５】  前記物品が熱可塑性材料でできていることを特徴とする請求項１９に記載の方法。
【請求項３６】  前記多官能性架橋剤が多官能性アクリレートであることを特徴とする請求項１９に記載の方法。
【請求項３７】  前記多官能性架橋剤が多官能性メタクリレートであることを特徴とする請求項１９に記載の方法。
【請求項３８】  前記多官能性架橋剤が多官能性シアヌレートであることを特徴とする請求項１９に記載の方法。
【請求項３９】  前記多官能性架橋剤が多官能性イソシアヌレートであることを特徴とする請求項１９に記載の方法。
【請求項４０】  物品にシールを付ける方法であって、
Ａ）  ２５℃と２５０℃の間の温度で、
１）エチレンおよびＣ3〜Ｃ20のα―オレフィンを含むエチレンα―オレフィンコポリマー８０〜９８重量％と、
２）多官能性アクリル架橋剤、多官能性メタクリル架橋剤、多官能性シアヌレート架橋剤、および多官能性イソシアヌレート架橋剤からなる群から選択される多官能性架橋剤１〜１９．５重量％と、そして
３）紫外線重合開始剤０．２〜５重量％とを配合して（前記成分１）、２）および３）のそれぞれの前記重量％は該成分１）、２）および３）の合計重量に基づく）、ムーニー粘度ＭＬ１＋４（１００℃）が１〜１５０である熱的に安定な硬化性の押し出し可能な混合物を形成するステップと、
Ｂ）  前記押し出し可能な混合物を未硬化シールを形成するために望ましい形状および厚さで前記物品上に堆積させるステップと、
Ｃ）  前記未硬化シールを硬化させるのに充分な時間だけ該未硬化シールに紫外線を照射するステップと、
を含むことを特徴とする方法。
【請求項４１】  前記フルオロエラストマーのムーニー粘度ＭＬ１＋４（１２１℃）が１０〜９０であることを特徴とする請求項１９に記載の方法。
【請求項４２】  物品にシールを付ける方法であって、
Ａ）  （１）１）共重合した臭素化オレフィン、塩素化オレフィンおよびヨウ素化オレフィン；２）共重合した臭素化不飽和エーテル、塩素化不飽和エーテル、およびヨウ素化不飽和エーテル；３）共重合した非共役ジエンおよびトリエン；および４）フルオロエラストマー鎖の末端位置に存在するヨウ素原子、臭素原子、およびその混合物；からなる群から選択される、少なくとも１つのキュアサイトを有するフルオロエラストマーを７０から９９重量％と、
（２）多官能性アクリル架橋剤、多官能性メタクリル架橋剤、多官能性シアヌレート架橋剤、および多官能性イソシアヌレート架橋剤からなる群から選択される多官能性架橋剤を０．５から２０重量％と、
（３）紫外線重合開始剤を０．１から１０重量％と（前記Ａ（１）、Ａ（２）およびＡ（３）のそれぞれの前記重量％は該Ａ（１）、Ａ（２）およびＡ（３）の合計重量に基づく）を含む熱的に安定な押し出し可能な組成物を未硬化シールを形成するために望ましい形状および厚さで前記物品上に堆積させるステップと、
Ｂ）  前記未硬化シールを硬化させるのに充分な時間だけ該未硬化シールに紫外線を照射するステップを、
含むことを特徴とする方法。
【請求項４３】  物品にシールを付ける方法であって、
Ａ）  （１）エピクロロヒドリンエラストマーを８０から９７重量％と、
（２）多官能性アクリル架橋剤、多官能性メタクリル架橋剤、多官能性シアヌレート架橋剤、および多官能性イソシアヌレート架橋剤からなる群から選択される多官能性架橋剤を２から１９．５重量％と、
（３）紫外線重合開始剤を０．２から５．０重量％と（前記Ａ（１）、Ａ（２）およびＡ（３）のそれぞれの前記重量％は該Ａ（１）、Ａ（２）およびＡ（３）の合計重量に基づく）を含む熱的に安定な押し出し可能な組成物を未硬化シールを形成するために望ましい形状および厚さで前記物品上に堆積させるステップと、
Ｂ）  前記未硬化シールを硬化させるのに充分な時間だけ該未硬化シールに紫外線を照射するステップを、
含むことを特徴とする方法。
【請求項４４】  物品にシールを付ける方法であって、
Ａ）  （１）エチレンおよびＣ3〜Ｃ20のα―オレフィンを含むエチレンα―オレフィンコポリマーを８０から９８重量％と、
（２）多官能性アクリル架橋剤、多官能性メタクリル架橋剤、多官能性シアヌレート架橋剤、および多官能性イソシアヌレート架橋剤からなる群から選択される多官能性架橋剤を１から１９．５重量％と、
（３）紫外線重合開始剤を０．２から５重量％と（前記Ａ（１）、Ａ（２）およびＡ（３）のそれぞれの前記重量％は該Ａ（１）、Ａ（２）およびＡ（３）の合計重量に基づく）を含む熱的に安定な押し出し可能な組成物を未硬化シールを形成するために望ましい形状および厚さで前記物品上に堆積させるステップと、
Ｂ）  前記未硬化シールを硬化させるのに充分な時間だけ該未硬化シールに紫外線を照射するステップを、
含むことを特徴とする方法。
【請求項４５】  請求項１９、３４、４０、４２、４３または４４に記載の方法によって製造されることを特徴とする硬化した物品。